(57)【要約】  所定の基準を満たすデータのセットについてサーバ３２に周期的に問い合わせるステップと、該所定の基準を満たすいずれのデータのセットに関する情報もを受信するステップと、該所定の基準を満たす各データのセットについて、該データのセットがローカルに存在するか又は最新のものであるかを決定するステップと、選択されたデータのセットがローカルに存在しないか又は最新のものではないと決定すると、該選択されたデータのセットの少なくとも一部をダウンロードするステップと、を有する、データを自動的にダウンロードする方法。
2016526225.tif 000002
【特許請求の範囲】
【請求項１】
所定の基準を満たすデータのセットについてサーバに周期的に問い合わせるステップと、
前記所定の基準を満たすいずれのデータのセットに関する情報もを受信するステップと、
前記所定の基準を満たす各データのセットについて、前記データのセットがローカルに存在するか又は最新のものであるかを決定するステップと、
選択されたデータのセットがローカルに存在しないか又は最新のものではないと決定すると、前記選択されたデータのセットの少なくとも一部をダウンロードするステップと、
を有する、データを自動的にダウンロードする方法。
【請求項２】
前記サーバに周期的に問い合わせるステップは、
所定の時間待機するステップと、
前記所定の時間待機した後に前記サーバに問い合わせるステップと、
を有する、請求項１に記載のデータを自動的にダウンロードする方法。
【請求項３】
前記選択されたデータのセットがローカルに存在しないと決定すると、前記選択されたデータのセットの全体をダウンロードする、請求項１に記載のデータを自動的にダウンロードする方法。
【請求項４】
前記選択されたデータのセットがローカルに最新のものではないと決定すると、前記選択されたデータのセットのいずれの新しい又は更新されたファイルをもダウンロードする、請求項１に記載のデータを自動的にダウンロードする方法。
【請求項５】
前記データのセットは、睡眠検査データを含む、請求項１に記載のデータを自動的にダウンロードする方法。
【請求項６】
前記基準は、睡眠検査が割り当てられたユーザを含む、請求項５に記載のデータを自動的にダウンロードする方法。
【請求項７】
前記基準は、睡眠検査の状態を含む、請求項５に記載のデータを自動的にダウンロードする方法。
【請求項８】
前記基準は、睡眠検査が割り当てられたユーザ及び睡眠検査の状態を含む、請求項５に記載のデータを自動的にダウンロードする方法。
【請求項９】
１つ以上のプログラムを保存する持続性コンピュータ読み取り可能媒体が提供され、前記プログラムは、コンピュータにより実行されたときに、データを自動的にダウンロードする方法を前記コンピュータに実行させる命令を含み、前記方法は、
所定の基準を満たすデータのセットについてサーバに周期的に問い合わせるステップと、
前記所定の基準を満たすいずれのデータのセットに関する情報もを受信するステップと、
前記所定の基準を満たす各データのセットについて、前記データのセットがローカルに存在するか又は最新のものであるかを決定するステップと、
選択されたデータのセットがローカルに存在しないか又は最新のものではないと決定すると、前記選択されたデータのセットの少なくとも一部をダウンロードするステップと、
を有する持続性コンピュータ読み取り可能媒体。
【請求項１０】
前記サーバに周期的に問い合わせるステップは、
所定の時間待機するステップと、
前記所定の時間待機した後に前記サーバに問い合わせるステップと、
を有する、請求項９に記載の持続性コンピュータ読み取り可能媒体。
【請求項１１】
前記選択されたデータのセットがローカルに存在しないと決定すると、前記選択されたデータのセットの全体をダウンロードする、請求項９に記載の持続性コンピュータ読み取り可能媒体。
【請求項１２】
前記選択されたデータのセットがローカルに最新のものではないと決定すると、前記選択されたデータのセットのいずれの新しい又は更新されたファイルをもダウンロードする、請求項９に記載の持続性コンピュータ読み取り可能媒体。
【請求項１３】
前記データのセットは、睡眠検査データを含む、請求項９に記載の持続性コンピュータ読み取り可能媒体。
【請求項１４】
前記基準は、睡眠検査が割り当てられたユーザを含む、請求項１３に記載の持続性コンピュータ読み取り可能媒体。
【請求項１５】
前記基準は、睡眠検査の状態を含む、請求項１３に記載の持続性コンピュータ読み取り可能媒体。
【請求項１６】
前記基準は、睡眠検査が割り当てられたユーザ及び睡眠検査の状態を含む、請求項１３に記載の持続性コンピュータ読み取り可能媒体。
【請求項１７】
データを自動的にダウンロードするシステムであって、前記システムは、
所定の基準を満たすデータのセットについてサーバに周期的に問い合わせ、前記所定の基準を満たすいずれのデータのセットに関する情報もを受信し、前記所定の基準を満たす各データのセットについて、前記データのセットがローカルに存在するか又は最新のものであるかを決定するよう構成された、クライアント装置
を有し、前記クライアント装置は、選択されたデータのセットがローカルに存在しないか又は最新のものではないと決定すると、前記選択されたデータのセットの少なくとも一部をダウンロードするよう構成された、システム。
【請求項１８】
前記クライアント装置は、所定の時間待機し、前記所定の時間待機した後に前記サーバに問い合わせるよう構成された、請求項１７に記載のシステム。
【請求項１９】
前記クライアント装置は、前記選択されたデータのセットがローカルに存在しないと決定すると、前記選択されたデータのセットの全体をダウンロードするよう構成された、請求項１７に記載のシステム。
【請求項２０】
前記クライアント装置は、前記選択されたデータのセットがローカルに最新のものではないと決定すると、前記選択されたデータのセットのいずれの新しい又は更新されたファイルをもダウンロードするよう構成された、請求項１７に記載のシステム。
【請求項２１】
前記データのセットは、睡眠検査データを含む、請求項１７に記載のシステム。
【請求項２２】
前記基準は、睡眠検査が割り当てられたユーザを含む、請求項２１に記載のシステム。
【請求項２３】
前記基準は、睡眠検査の状態を含む、請求項２１に記載のシステム。
【請求項２４】
前記基準は、睡眠検査が割り当てられたユーザ及び睡眠検査の状態を含む、請求項２１に記載のシステム。
【発明の詳細な説明】
【技術分野】
【０００１】
本発明は、データのダウンロードに関し、特に、睡眠検査データを自動的にダウンロードするためのシステム及び方法に関する。
【背景技術】
【０００２】
閉塞性睡眠時無呼吸（ＯＳＡ）は、世界中で何百万人もの人々に影響を与えている病気である。ＯＳＡは、睡眠の間の呼吸における乱れ又は中断によって特徴付けられる。ＯＳＡの発現は、少なくとも１０秒、しばしば１乃至２分もの間継続する、睡眠の間の空気流の部分的な又は完全な閉塞に起因する。或る夜に、中程度から重度の無呼吸を持つ人は、一晩に２００乃至５００回もの完全な又は部分的な呼吸途絶を経験し得る。斯かる人の睡眠は定期的に妨害されるため、心身の効率的な機能に必要な回復のための睡眠を奪われることとなる。斯かる睡眠障害は、高血圧、鬱病、脳卒中、心不整脈、心筋梗塞及びその他の心疾患と関連している。また、ＯＳＡは過度の疲労を引き起こす。
【０００３】
或る患者がＯＳＡを患っているか否かを評価するため、種々の方法が用いられている。最も総合的な方法は、多くの重大な睡眠時病状を診断できる、医療用睡眠ポリグラフ（ＰＳＧ）である。ＰＳＧは一般に、患者の睡眠検査を含み、該患者が寝ている間に該患者の音響及びその他のパラメータが記録される。次いで技術者が、該記録されたデータに「スコア」を付ける。該記録されたデータにスコア付けすることは、該データを解析して、睡眠時病状を診断するのに有用となり得る、ＰＳＧの間に起きる事象の特定を含む。ＰＳＧの間に集められたデータは一般に、複数の音響ファイル、その他のデータファイル、及びスコアファイルのような、幾つかの種々のファイルに保存される。
【０００４】
ＰＳＧデータ（睡眠検査データとも呼ばれる）は、睡眠研究所、スコア付けする技術者のオフィス、及び医師のオフィスのような、幾つかの種々の場所において生成又は利用される。インターネットのようなネットワークを通して複数の場所にアクセス可能な、サーバのような中央位置にＰＳＧデータを保存することが好適である。
【発明の概要】
【発明が解決しようとする課題】
【０００５】
ＰＳＧは種々の場所で生成及び更新されるが、ユーザによってアクセスされるＰＳＧデータが最新のものであることを確実にするため、リモートの場所と中央位置との間でファイルを転送及び更新することが必要である。中央位置とリモートの場所との間でＰＳＧデータをダウンロード及びアップロードするため、中央位置におけるサーバ上でファイル転送プロトコル（ＦＴＰ）サーバが用いられている。中央位置とリモートの場所との間のファイル転送を管理するため、その他のファイル共有システムも用いられている。しかしながら、これらのファイル転送機構は、要求に応じた態様で起動される。即ち、ユーザがＰＳＧデータにアクセスしたいと欲する場合、該ユーザはサーバからのＰＳＧデータのダウンロードを手動で起動し、ダウンロードが完了すると、該ユーザはリモートの位置において該ＰＳＧデータにアクセスする。
【０００６】
ＰＳＧデータの量は非常に大きくなり得るものであり、多くの場合には１ギガバイトを超え得る。従ってユーザは、ＰＳＧデータにアクセス可能となるまでに、ＰＳＧデータをダウンロードするためかなりの時間待つことになり得る。
【０００７】
従って、中央位置からリモートの位置へのＰＳＧデータファイルのダウンロードにおける改善に対するニーズが存在する。
【課題を解決するための手段】
【０００８】
一実施例においては、データを自動的にダウンロードする方法は、所定の基準を満たすデータのセットについてサーバに周期的に問い合わせるステップと、前記所定の基準を満たすいずれのデータのセットに関する情報もを受信するステップと、前記所定の基準を満たす各データのセットについて、前記データのセットがローカルに存在するか又は最新のものであるかを決定するステップと、選択されたデータのセットがローカルに存在しないか又は最新のものではないと決定すると、前記選択されたデータのセットの少なくとも一部をダウンロードするステップと、を含む。
【０００９】
他の実施例においては、１つ以上のプログラムを保存する持続性コンピュータ読み取り可能媒体が提供され、前記プログラムは、コンピュータにより実行されたときに、データを自動的にダウンロードする方法を前記コンピュータに実行させる命令を含み、前記方法は、所定の基準を満たすデータのセットについてサーバに周期的に問い合わせるステップと、前記所定の基準を満たすいずれのデータのセットに関する情報もを受信するステップと、前記所定の基準を満たす各データのセットについて、前記データのセットがローカルに存在するか又は最新のものであるかを決定するステップと、選択されたデータのセットがローカルに存在しないか又は最新のものではないと決定すると、前記選択されたデータのセットの少なくとも一部をダウンロードするステップと、を含む。
【００１０】
他の実施例においては、クライアント装置を含むデータを自動的にダウンロードするシステムが提供され、前記クライアント装置は、所定の基準を満たすデータのセットについてサーバに周期的に問い合わせ、前記所定の基準を満たすいずれのデータのセットに関する情報もを受信し、前記所定の基準を満たす各データのセットについて、前記データのセットがローカルに存在するか又は最新のものであるかを決定し、選択されたデータのセットがローカルに存在しないか又は最新のものではないと決定すると、前記選択されたデータのセットの少なくとも一部をダウンロードするよう構成される。
【００１１】
本発明のこれらの及びその他の目的、特徴及び特性、並びに構造の関連する要素及び部分の組み合わせの動作及び機能の方法、及び製造の経済性は、添付図面を参照しながら、以下の説明及び添付される請求項を考察することによってより明らかとなるものであり、これらは全て本明細書の一部を形成するものであり、種々の図において、同様の参照番号は対応する部分を示す。しかしながら、これら図面は単に説明の目的のためのものであり、本発明の限定の定義として意図されたものではないことは、明確に理解されるべきである。
【図面の簡単な説明】
【００１２】
【図１】開示される概念の一実施例による中央化された位置において睡眠検査データを収集及び保存するよう構成されたシステムの模式図である。
【図２】開示される概念の一実施例による睡眠検査ファイルを自動的にダウンロードする方法のフロー図である。
【図３】開示される概念の一実施例による睡眠検査ファイルを自動的にダウンロードするための基準を設定するためのユーザインタフェースの図である。
【発明を実施するための形態】
【００１３】
ここで用いられる、単一形「１つの（a、an、the）」は、別段の明確な記載がない限り、複数の対象を含む。ここで用いられる、２つ以上の部分が「結合される（coupled）」なる表現は、これらの部分が、直接に接合されるか、又は１つ以上の中間部分を通して間接的に接合されることを意味する。ここで用いられる、「直接に結合される（directly coupled）」なる表現は、２つの要素が互いに直接に接触していることを意味する。ここで用いられる、「固定的に結合される（fixedly coupled）」又は「固定される（fixed）」なる表現は、２つの構成要素が、互いに対する一定の向きを維持しつつ動くよう結合されることを意味する。
【００１４】
ここで用いられる、「単一の（unitary）」なる語は、構成要素が単一の部品又はユニットとして生成されていることを意味する。即ち、別個に生成され、次いで１つのユニットとして結合された部品を含む構成要素は、「単一の」構成要素又は本体ではない。ここで用いられる、２つ以上の部分又は構成要素が互いに「係合する（engage）」なる表現は、これら部分が、互いに直接に、又は１つ以上の中間部分又は構成要素を通して、力をかけていることを意味する。ここで用いられる、「数（number）」なる語は、１又は１よりも大きな整数（即ち複数）を意味する。
【００１５】
ここで用いられる、例えば（限定するものではない）上、下、左、右、上部、下部、前、後、及びこれらの派生語のような、方向を表す語句は、図面に示された要素の向きに関連するものであり、明確に言及されない限り、請求の範囲を限定するものではない。
【００１６】
睡眠検査データを収集及び保存するよう構成されたシステム１が、全体として図１に示される。システム１は、睡眠研究所２、リモートのスコア付け技術者サイト４、リモートの医師サイト６、及び中央サーバサイト８を含む、幾つかの場所に分散される。中央サーバサイト８はサーバ３２及び睡眠研究所２の各々を含み、リモートのスコア付け技術者サイト４及びリモートの医師サイト６はクライアント２０を含む。クライアント２０はそれぞれ、インターネット接続１０のような適切なネットワーク接続によってサーバ３２に接続される。
【００１７】
クライアント２０は、限定するものではないが、汎用コンピュータ、無線装置、パーソナルコンピュータ又は携帯電話のような、いずれかの適切な処理装置である。クライアント２０及びサーバ３２はそれぞれ、関連するメモリ２２を含む。メモリ２２は、限定するものではないが、コンピュータの内部記憶領域の形をとるもののようなデータ記憶装置のための記憶レジスタ即ち機械読み取り可能な媒体を提供する、ＲＡＭ、ＲＯＭ、ＥＰＲＯＭ、ＥＥＰＲＯＭ、ＦＬＡＳＨ（登録商標）等のような、種々のタイプの内部及び／又は外部記憶媒体のうちのいずれか１つ以上であっても良く、揮発性メモリであっても良いし又は不揮発性メモリであっても良い。メモリ２２は、クライアント２０又はサーバ３２の外に位置していても良く、関連するクライアント２０又はサーバ３２と通信可能に接続されていても良い。メモリ２２は、関連するクライアント２０又はサーバ３２から取り外されることができる、着脱可能な装置であっても良い。
【００１８】
睡眠研究所２は、患者室１２及び制御室１４を含む。患者室１２と制御室１４とは、ローカルエリアネットワーク接続１６のような適切なネットワーク接続によって、通信可能に接続される。患者室１２は、データ収集設備１８を含む。データ収集設備１８は、限定するものではないが、オーディオ及びビデオデータ、脳波図（ＥＥＧ）データ、心電図（ＥＣＧ）データ、電気眼球図（ＥＯＧ）データ、筋電図（ＥＭＧ）データ、鼻の気流の測定値、血中酸素レベルの測定値、及び／又はその他の生理学的パラメータのような、生の睡眠検査データを集めるために用いられる。制御室１４は、クライアント２０及びメモリ２２を含む。該生の睡眠検査データは、ローカルエリアネットワーク接続１６を介してデータ収集設備１８からクライアント２０へと転送され、メモリ２２に保存される。該生の睡眠検査データは、ファイルのセットとしてメモリ２２に保存される。
【００１９】
リモートのスコア付け技術者サイト４は、関連するクライアント２０及びメモリ２２を含む。リモートのスコア付け技術者サイト４におけるスコア付け技術者は、生の睡眠検査データに「スコア付け」を行い、スコアデータをファイルとしてメモリ２２に保存する。該スコアデータは、限定するものではないが、睡眠段階データ、無呼吸事象データ、及び高心拍数事象データのようなデータを含む。
【００２０】
リモートの医師サイト６は、関連するクライアント２０及びメモリ２２を含む。リモートの医師サイト６における医師は、該生の睡眠検査データ及びスコアデータを参照して、患者を診断する。
【００２１】
中央サーバサイト８は、データを送受信するためにクライアント２０と通信可能に接続されたサーバ３２を含む。サーバ３２は、データを保存するデータベース２３を含むメモリ２２を含む。サーバ３２は、ウェブサービス３４を更に含む。ウェブサービス３４は、データのアップロード又はダウンロードのため、クライアント２０からの要求に対する応答のような、サーバ３２とクライアント２０との間の通信を調整する。サーバ３２は、クライアント２０のいずれかによりダウンロード又はアップロードされることができるように、中央集約的に睡眠検査データを保存するよう構成される。
【００２２】
睡眠研究所２、リモートのスコア付け技術者サイト４及びリモートの医師サイト６が図１に示されたが、開示される概念の範囲から逸脱することなく、いずれの適切なリモートのサイトが、中央サーバサイト８における睡眠検査データにアクセスするよう構成され得ることは、理解されるであろう。
【００２３】
開示される概念の一実施例による、睡眠検査ファイルをサーバ３２からクライアント２０に自動的にダウンロードする方法のフロー図が、図２に示される。一般的には、図２の方法は、所定の基準を満たす睡眠検査ファイルのダウンロードを自動的に起動するために、クライアント２０によって実行される。より詳細には、ステップ４０において、クライアントが所定の時間待機する。該所定の時間は、限定するものではないが、１分であっても良い。しかしながら、該所定の時間はいずれの適切な時間であっても良いことは、理解されるであろう。
【００２４】
該所定の時間が経過した後、ステップ４２において、クライアント２０はサーバ３２に問い合わせをする。サーバ３２への該問い合わせは、所定の基準が含む。サーバ３２は、クライアント２０により送られた該所定の基準を満たすサーバ３２に保存された睡眠検査ファイルがあるか、データベース２３をチェックする。該所定の基準は、限定するものではないが、例えば、該睡眠検査ファイルが割り当てられたユーザ、及び該睡眠検査ファイルの状態を含んでも良い。該睡眠検査ファイルの状態は、記録される工程から完了する工程まで、工程フロー中の睡眠検査ファイルの位置を示す。状態の幾つかの例は、限定するものではないが、睡眠検査がスコア付け技術者によりスコア付けされる必要があることを示す「スコア付け中」、睡眠検査がスコア付け技術者によりスコア付けされたことを示す「スコア付け済み」、及び、スコア付けされた睡眠検査データが医師によって検討される必要があることを示す「検討中」を含む。
【００２５】
工程フローの一例においては、睡眠検査データは最初に、睡眠研究所２において集められ、生の睡眠検査データがサーバ３２にアップロードされる。次いで、研究所の管理者が、睡眠検査データをスコア付け技術者に割り当て、これにより睡眠検査データの状態が「スコア付け中」に変更される。スコア付け技術者が睡眠検査データにスコア付けし終えると、睡眠検査データの状態が「スコア付け済み」に変更される。次いで、研究所の管理者が、睡眠検査データを医師に割り当て、これにより睡眠検査データの状態が「検討中」に変更される。医師が睡眠検査データの検討を終えると、睡眠検査データの状態が「完了」に変更される。
【００２６】
クライアント２０がサーバ３２に問い合わせする際、該問い合わせは、１つの基準が満たされることだけを要求しても良いし、複数の基準が満たされることを要求しても良い。例えば、クライアント２０は、特定のユーザに割り当てられた全ての睡眠検査データをサーバに問い合わせても良いし、特定のユーザに割り当てられ且つ特定の状態を持つ全ての睡眠検査データをサーバに問い合わせても良い。
【００２７】
サーバ３２が問い合わせを受けると、所定の基準を満たすいずれの睡眠検査データもが、クライアント２０に示される。ステップ４４において、クライアント２０は、所定の基準を満たすいずれかの睡眠検査データを示したか否かを決定する。否であれば、クライアント２０は、ステップ４０に進み、再びサーバ３２に問い合わせする前に所定の時間だけ待機する。クライアント２０が、所定の基準を満たす睡眠検査データをサーバ３２が示したことを決定した場合、クライアントはステップ４６に進む。
【００２８】
ステップ４６において、クライアント２０は、睡眠検査ファイルがローカルに存在するか否かをチェックする（即ち、クライアント２０は、クライアント２０に対応するメモリ２０に睡眠検査ファイルが保存されているか否かをチェックする）。睡眠検査ファイルがローカルに存在しない場合には、クライアント２０は、ステップ４８において、該睡眠検査ファイルに対応する全てのファイルをダウンロードする。次いでクライアント２０は、ステップ４０に戻り、再びサーバ３２に問い合わせする前に所定の時間だけ待機する。
【００２９】
睡眠検査ファイルがローカルに存在する場合には、クライアント２０は、ステップ５０において、サーバ３２上におけるリモートに保存された睡眠検査ファイルのいずれかが、新しい又は更新されたものであるか否かをチェックする。即ち、クライアント２０は、睡眠検査ファイルのローカルなバージョンが、サーバ３２に保存された睡眠検査ファイルのバージョンと同一であるか否かをチェックする。クライアント２０が、リモートの保存された睡眠検査ファイルのいずれも新しいもの又は更新されたものではないと決定した場合、クライアント２０はステップ４０に戻り、再びサーバ３２に問い合わせする前に所定の時間だけ待機する。クライアント２０が、サーバ３２におけるリモートに保存されたファイルが新しい又は更新されたファイルを含むと決定した場合、クライアント２０はステップ５２に進む。
【００３０】
ステップ５２において、クライアント２０は、サーバ３２から、いずれの新しい又は更新された睡眠検査ファイルもをダウンロードする。新しい及び更新されたファイルのみをダウンロードすることにより、睡眠検査ファイルの幾つかのみが新しい又は更新されたものである場合に、睡眠検査ファイル全体をダウンロードすることが回避され得る。サーバ３２からいずれの新しい又は更新された睡眠検査ファイルもをダウンロードした後、クライアント２０はステップ４０に戻り、再びサーバ３２に問い合わせする前に所定の時間だけ待機する。
【００３１】
図２の方法は、限定するものではないが、ソフトウェアパッケージの一部として又はバックグラウンドプロセスとしてといった、いずれの適切な態様でクライアント２０上で実行されても良い。図２の方法はまた、ユーザがクライアント２０からログアウトした場合でも実行を継続するバックグラウンドプロセスとしてクライアント２０上で実行されても良い。サーバ３２に周期的に問い合わせ、睡眠検査データを自動的にダウンロードすることにより、睡眠検査データはユーザのインタラクションなしにクライアント２０に自動的にダウンロードされる。更に、前記基準は、近い将来にユーザが睡眠検査データにアクセスする必要があるようになることを示唆しても良い。例えば、睡眠検査がスコア付け技術者に割り当てられ、「スコア付け中」状態となったときには、該スコア付け技術者は、近い将来に睡眠検査データにアクセスする必要があるようになる。スコア付け技術者が睡眠検査データのダウンロードを手動で開始し、ダウンロードが完了するのを待つ必要があるようにするのではなく、スコア付け技術者が他の事柄に対処している間又はオフィスから外出している間に、クライアント２０が睡眠検査データのダウンロードを開始しても良い。斯くして、睡眠検査データはクライアント２０に事前ダウンロードされることができ、スコア付け技術者が睡眠検査データにアクセスする準備ができたときには準備完了状態となっていることが可能となる。
【００３２】
図３は、開示される概念の一実施例による、自動睡眠検査データダウンロード基準を設定するためのユーザインタフェースの図である。ユーザインタフェースは、自動ダウンロード起動ボックス６０を含む。自動ダウンロード起動ボックス６０は、作動されると、クライアント２０が図２の方法を実行することを可能とする。所定の時間入力ボックス６２は、クライアント２０がサーバ３２に問い合わせする前に待機する所定の時間をユーザが入力することを可能とする。選択ボタン６４は、サーバ３２に対する問い合わせにおいて、１つの基準が用いられるか複数の基準が用いられるかをユーザが選択することを可能とする。
【００３３】
基準のための値を設定するため、ユーザインタフェースは、基準値入力ボックス６６を含む。例えば、限定するものではないが、ユーザは、基準値入力ボックス６６において、睡眠検査が割り当てられたユーザ、及び睡眠検査の状態を入力しても良い。ユーザインタフェースはまた、サーバ３２への問い合わせにおいてどの基準が用いられるかをユーザが選択することを可能とする、基準有効化ボックス６８を含む。
【００３４】
ここで幾つかの基準が示され説明されたが、開示される概念の範囲から逸脱することなく、いずれの適切な基準もがサーバ３２への問い合わせにおいて用いられても良いことは、当業者には理解されるであろう。
【００３５】
開示された概念は、睡眠検査データの転送について説明されたが、該開示された概念は、リモートの場所と中央記憶位置との間のいずれのタイプのデータの転送における使用にも適合され得ることが考えられる。該開示された概念は、ファイルの群を転送する際における使用に特に適していることは、理解されるであろう。
【００３６】
更に、開示された概念は、ユーザにとって待ち時間を減少させるような態様で自動的にファイルをダウンロードすることについて説明されたが、該開示された概念は有利にも、クライアント２０にダウンロードされるファイルをフィルタリングするためにも適用され得ることが考えられる。例えば、限定するものではないが、どのファイルがクライアント２０にダウンロードされるか、及びどのファイルがダウンロードされないかを決定するために、基準が用いられても良い。該開示された概念は有利にも、限定するものではないが、音楽ライブラリとの使用のためにも適用され得ることが考えられ、この場合には、該開示された概念は例えば、選択されたアーティスト及び／又はアルバムからトラックを自動的にダウンロードするために用いられることができる。また、該開示された概念は有利にも、限定するものではないが、文書管理システムとも使用され得ることが考えられ、この場合には、該開示された概念は例えば、選択された著者による文書を自動的にダウンロードするために用いられることができる。
【００３７】
開示された概念は、有形の持続性のコンピュータ読み取り可能な記録媒体上のコンピュータ読み取り可能なコードとしても実施化され得る。該コンピュータ読み取り可能な記録媒体は、後にコンピュータシステムによって読み取られることができるデータを保存することができるいずれかのデータ記憶装置である。該コンピュータ読み取り可能な記録媒体の非限定的な例は、読み取り専用メモリ（ＲＯＭ）、不揮発性ランダムアクセスメモリ（ＲＡＭ）、ＣＤ−ＲＯＭ、磁気テープ、フロッピー（登録商標）ディスク、ディスク型記憶装置、及び光学データ記憶装置を含む。
【００３８】
請求項において、括弧に挟まれたいずれの参照記号も、請求の範囲を限定するものとして解釈されるべきではない。「有する（comprising）」又は「含む（including）」なる語は、請求項に記載されたもの以外の要素又はステップの存在を除外するものではない。幾つかの手段を列記した装置請求項において、これら手段の幾つかは同一のハードウェアのアイテムによって実施化されても良い。要素に先行する「１つの（a又はan）」なる語は、複数の斯かる要素の存在を除外するものではない。幾つかの手段を列記したいずれの装置請求項においても、これら手段の幾つかは同一のハードウェアのアイテムによって実施化されても良い。特定の要素が相互に異なる従属請求項に列挙されているという単なる事実は、これら要素の組み合わせが有利に利用されることができないことを示すものではない。
【００３９】
本発明は、現在最も実用的で好適な実施例と考えられるものに基づいて説明の目的のために詳細に説明されたが、斯かる詳細は単に当該目的のものであり、本発明は開示される実施例に限定されるものではなく、逆に添付される請求項の精神及び範囲内である変形及び等価な構成をカバーすることを意図されている。例えば、本発明は、可能な限り、いずれかの実施例の１つ以上の特徴が他のいずれかの実施例の１つ以上の特徴と組み合わせられ得ることを想定するものであることは、理解されるべきである。
【図１】
2016526225.tif 000003
【図２】
2016526225.tif 000004
【図３】
2016526225.tif 000005
【国際調査報告】
2016526225.tif 000006
2016526225.tif 000007